(57)【要約】【課題】差動マイクロホンを備えたヘッドセットにおいて、差動マイクロホンの感度を向上させることである。【解決手段】ヘッドセット１０において、差動マイクロホンを収容するアームヘッド１１３は、差動マイクロホンに通じる第１音孔１１６と、差動マイクロホンに通じ、イヤホンスピーカーとの距離が第１音孔１１６とイヤホンスピーカーとの距離より短い第２音孔１１７とを有し、イヤホンスピーカーと第１音孔１１６との距離をＬ（ｍｍ）、第１音孔１１６からイヤホンスピーカーへ延びる直線と第１音孔１１６から第２音孔１１７へ延びる直線とのなす角をθ（°）、θの中央値をθ1（°）とすると、４０≦Ｌ≦１２０、θ1＝０．００３５Ｌ2−０．１７８１Ｌ＋１５．２３９、θ1−２０≦θ≦θ1＋２０を全て満たす構成とする。【選択図】図４
2014155143.tif 000002
【特許請求の範囲】
【請求項１】
筐体と、イヤホンスピーカーと、差動マイクロホンとを備えたヘッドセットにおいて、
前記筐体は、前記イヤホンスピーカーを収容する本体部と、前記差動マイクロホンを収容するアームヘッドと、前記本体部と前記アームヘッドとを繋ぐブームアームとを含み、
前記アームヘッドは、前記差動マイクロホンに通じる第１音孔と、前記差動マイクロホンに通じ、前記イヤホンスピーカーとの距離が前記第１音孔と前記イヤホンスピーカーとの距離より短い第２音孔とを有し、
前記イヤホンスピーカーと前記第１音孔との距離をＬ（ｍｍ）、前記第１音孔から前記イヤホンスピーカーへ延びる直線と前記第１音孔から前記第２音孔へ延びる直線とのなす角をθ（°）、θの中央値をθ1（°）とすると、
４０≦Ｌ≦１２０
θ1＝０．００３５Ｌ2−０．１７８１Ｌ＋１５．２３９
θ1−２０≦θ≦θ1＋２０
を全て満たすことを特徴とするヘッドセット。
【請求項２】
前記第１及び第２音孔が、前記アームヘッドの同一面に形成されることを特徴とする請求項１記載のヘッドセット。
【請求項３】
前記第１及び第２音孔が、前記アームヘッドの異なる面にそれぞれ形成されることを特徴とする請求項１記載のヘッドセット。
【請求項４】
第１及び第２音孔が、前記アームヘッドの対向面にそれぞれ形成されることを特徴とする請求項１記載のヘッドセット。
【請求項５】
前記イヤホンスピーカーが前記本体部の一側面から突出しており、
前記ブームアームの延出方向に対して前記アームヘッドの延出方向は、前記イヤホンスピーカーが突出する方向に曲がっていることを特徴とする請求項１〜４の何れかに記載のヘッドセット。
【請求項６】
第１及び第２音孔が、前記アームヘッドの延出方向に沿って形成されることを特徴とする請求項５記載のヘッドセット。
【請求項７】
前記ブームアームが伸縮することを特徴とする請求項１〜６の何れかに記載のヘッドセット。
【発明の詳細な説明】
【技術分野】
【０００１】
本発明は、マイクロホンとスピーカーとを備えたヘッドセットに関する。
【背景技術】
【０００２】
従来から、マイクロホンとスピーカーとを備えたヘッドセットが知られている（例えば、特許文献１参照）。
【０００３】
特許文献１では、組をなす第１のマイクロホンと第２のマイクロホンを、近接音源により生成される球面音場に配置している。そのために、第１のマイクロホンを近接音源に接近する位置にセットし、第２のマイクロホンを、第１のマイクロホンと近接音源との間の距離に比して遠方にセットした構成に構築されている。
【先行技術文献】
【特許文献】
【０００４】
【特許文献１】特開２００７−３００５１３号公報
【発明の概要】
【発明が解決しようとする課題】
【０００５】
特許文献１では第１及び第２のマイクロホンの音孔の配置に関して音孔の距離についての記載しかない。しかしながら、差動マイクロホンを用いた場合、その感度は音孔と近接音源との角度に大きく依存する。したがって、その感度を良好に保つためには近接音源に対する音孔の角度に配慮する必要がある。
【０００６】
本発明は、差動マイクロホンを備えたヘッドセットにおいて、差動マイクロホンの感度を向上させることを目的とする。
【課題を解決するための手段】
【０００７】
上記目的を達成するために本発明は、筐体と、イヤホンスピーカーと、差動マイクロホンとを備えたヘッドセットにおいて、前記筐体は、前記イヤホンスピーカーを収容する本体部と、前記差動マイクロホンを収容するアームヘッドと、前記本体部と前記アームヘッドとを繋ぐブームアームとを含み、前記アームヘッドは、前記差動マイクロホンに通じる第１音孔と、前記差動マイクロホンに通じ、前記イヤホンスピーカーとの距離が前記第１音孔と前記イヤホンスピーカーとの距離より短い第２音孔とを有し、前記イヤホンスピーカーと前記第１音孔との距離をＬ（ｍｍ）、前記第１音孔から前記イヤホンスピーカーへ延びる直線と前記第１音孔から前記第２音孔へ延びる直線とのなす角をθ（°）、θの中央値をθ1（°）とすると、４０≦Ｌ≦１２０、θ1＝０．００３５Ｌ2−０．１７８１Ｌ＋１５．２３９、θ1−２０≦θ≦θ1＋２０を全て満たすものとする。
【０００８】
この構成によれば、話者がヘッドセットを装着したときに、第１及び第２音孔がほぼ頬に沿って並ぶことになる。話者から発せられた音声は、頬に沿って拡散すると考えることができるので、頬に沿って第１及び第２音孔を配設することで、近接音源からの音波の到来方向に沿って第１及び第２音孔が並ぶことになる。その結果、差動マイクロホンの感度が向上する。
【０００９】
上記のヘッドセットにおいて、第１及び第２音孔が、前記アームヘッドの同一面に形成されるようにしてもよいし、第１及び第２音孔が、前記アームヘッドの異なる面にそれぞれ形成されるようにしてもよい。例えば、第１及び第２音孔が、前記アームヘッドの対向面にそれぞれ形成されるようにしてもよい。このように、第１及び第２音孔をアームヘッドの異なる面にそれぞれ形成することとすれば、音孔を様々な位置に配置できるので、様々な形状のマイクロホンを用いることができる。
【００１０】
また上記のヘッドセットにおいて、前記イヤホンスピーカーが前記本体部の一側面から突出しており、前記ブームアームの延出方向に対して前記アームヘッドの延出方向は、前記イヤホンスピーカーが突出する方向に曲がっている形態としてもよい。これにより、適切なθとなるように第１及び第２音孔を配置し易い。
【００１１】
また上記のヘッドセットにおいて、美観向上の観点から、第１及び第２音孔が、前記アームヘッドの延出方向に沿って形成されるようにしてもよい。
【００１２】
また上記のヘッドセットにおいて、前記ブームアームが伸縮する形態としてもよい。これにより、話者からの音声を明瞭に収音できる位置に差動マイクロホンの位置を調整することができる。
【発明の効果】
【００１３】
本発明によると、ヘッドセットにおいてθを適切な角度に設計することで、話者がヘッドセットを装着したときに、第１及び第２音孔がほぼ頬に沿って並ぶことになる。すなわち、近接音源からの音波の到来方向に沿って第１及び第２音孔が並ぶことになる。その結果、差動マイクロホンの感度が向上する。
【図面の簡単な説明】
【００１４】
【図１】本発明の一実施形態のヘッドセットの斜視図である。
【図２】本発明の一実施形態のヘッドセットの斜視図である。
【図３】本発明の一実施形態のヘッドセットの斜視図である。
【図４】本発明の一実施形態のヘッドセットの側面図である。
【図５】本発明の一実施形態の差動マイクロホンの断面図である。
【図６】本発明の一実施形態の第１及び第２音孔の最適な配置を説明する図である。
【図７】本発明の一実施形態のＬに対するθの実測値θ1である。
【図８】本発明の一実施形態のＬに対するθのグラフである。
【図９】図８から読み取った値の一例である。
【図１０】本発明の一実施形態のアームヘッドの拡大図である。
【図１１】本発明の一実施形態のアームヘッドの拡大図である。
【図１２】本発明の一実施形態のアームヘッドの拡大図である。
【図１３】本発明の一実施形態のアームヘッドの拡大図である。
【図１４】本発明の一実施形態のアームヘッドの拡大図である。
【図１５】本発明の一実施形態のアームヘッドの拡大図である。
【図１６】本発明の一実施形態の伸縮可能なブームアームを有するヘッドセットの側面図である。
【図１７】本発明の一実施形態の伸縮可能なブームアームを有するヘッドセットの側面図である。
【発明を実施するための形態】
【００１５】
以下に本発明の実施形態を図面を参照して説明する。なお、各実施形態は可能な範囲で組み合わせて実施することもできる。
【００１６】
図１〜３は本発明の一実施形態のヘッドセットの斜視図、図４は、そのヘッドセットの側面図である。図１〜３には矢印方向が正方向を示すＸＹＺ軸を付加している。
【００１７】
図１〜３に示すように、ヘッドセット１０は、筐体１１と、イヤーパッド１２と、マルチファンクションボタン１３と、ＬＥＤ（Light Emitting Diode）ランプ１４と、充電端子１５と、音量ボタン１６とを備えている。このヘッドセット１０は話者の片耳に取り付けるタイプである。なお、耳からの落下防止のためにイヤーフックを設けてもよい。イヤーフックは、例えば、イヤーパッド１２近辺に設けたゴム状のリングとすることができる。
【００１８】
イヤーパッド１２は筐体１１（後述するスピーカー収容部１１４）の−Ｚ方向側の面から−Ｚ方向と＋Ｘ方向との間の方向に突出した部材であり、イヤホンスピーカーの出力面に対向して配設されている。イヤーパッド１２はイヤホンスピーカーからの音を出力する孔１２１を有している。
【００１９】
マルチファンクションボタン１３は筐体１１（後述する制御部収容部１１４）の側面に形成された操作ボタンである。マルチファンクションボタン１３はヘッドセット１０の各種機能を選択し、実行させるためのボタンである。ＬＥＤランプ１４はマルチファンクションボタン１３の横に形成され、ＬＥＤの点灯、消灯、色などによって電源のオン／オフ及び充電中を示すものである。充電端子１５はＬＥＤランプ１４の横に形成され、ヘッドセット１０を充電するためのコードを接続する端子である。音量ボタン１６は筐体１１のマルチファンクションボタン１３とは反対側の側面に形成された操作ボタンであり、イヤホンスピーカーから出力される音量を調整するためのボタンである。
【００２０】
筐体１１は、本体部１１１と、本体部１１１の一端から＋Ｘ方向に延出したブームアーム１１２と、ブームアーム１１２の先端（本体部１１１とは反対側の一端）に形成されたアームヘッド１１３とを備えている。筐体１１は、例えば、複数の樹脂成形部材を組み合わせることで形成される。
【００２１】
本体部１１１は、各部を制御する制御部を収容する制御部収容部１１４と、イヤホンスピーカーを収容するスピーカー収容部１１５とを備えている。制御部収容部１１４は略直方体形状である。スピーカー収容部１１５は制御部収容部１１４の内側（話者側）から−Ｚ方向へ突出した部材であり、耳へ挿入されるものである。イヤホンスピーカーが円盤状であり、スピーカー収容部１１５もその形状のイヤホンスピーカーを覆う円盤状とすることができる。なお、イヤホンスピーカー収容部１１５は制御部収容部１１４から突出していなくてもよい。この場合、イヤーパッド１２を耳への装着を保持する形状にするとよい。
【００２２】
ブームアーム１１２は、本体部１１１とアームヘッド１１３とを繋ぎ、話者の顔の前面方向に延出し、差動マイクロホン（両指向性マイクロホン）と制御部とを繋ぐ配線を収容する部材である。ブームアーム１１２は、図１〜３では制御部収容部１１４の＋Ｘ方向側の端部の中央から直線的に＋Ｘ方向に延出している。なお、ブームアーム１１２は、話者の輪郭に沿った形状としてもよい。つまり、＋Ｘ方向に延出するとともに−Ｚ方向へ湾曲したような形状である。
【００２３】
アームヘッド１１３は、例えば略直方体の部材であり、ブームアーム１１２の延出方向（＋Ｘ方向）に対してアームヘッド１１３の延出方向（長手方向）が−Ｚ方向側（装着時の話者の頬側）に曲がっている。これはアームヘッド１１３を話者の頬に沿って配置するためである。なお、ブームアーム１１２が短い場合はアームヘッド１１３の延出方向がブームアーム１１２と同じ＋Ｘ方向であっても話者の頬に沿わせることができる。
【００２４】
アームヘッド１１３には差動マイクロホンが収容される。そして、アームヘッド１１３には、差動マイクロホンに通じる貫通孔である第１及び第２音孔１１６、１１７が形成されている。後述する図５の差動マイクロホン２０を用いる場合、第１音孔１１６が後述する第１のマイクロホン音孔２７に、第２音孔１１７が後述する第２のマイクロホン音孔２８に繋がる。
【００２５】
上記の差動マイクロホンとしては、ＳＭＤ（Surface Mount Device）タイプで直方体形状のものを好適に用いることができる。例えば、図５に示すような差動マイクロホンを用いることができる。図５は差動マイクロホンの一例の断面図である。
【００２６】
差動マイクロホン２０は、搭載部２１と、搭載部２１に被せられる蓋部２２とによって形成される略直方体形状のマイクロホン筐体２３を備える構成となっている。マイクロホン筐体２３の内部には、第１のＭＥＭＳ（Micro Electro Mechanical System）チップ２４と、第１のＡＳＩＣ（Application Specific Integrated Circuit）と、第２のＭＥＭＳチップ２５と、第２のＡＳＩＣ２６と、が収容されている。マイクロホン筐体２３には、第１及び第２のマイクロホン音孔２７、２８が形成されている。
【００２７】
第１及び第２のＭＥＭＳチップ２４、２５は、シリコンチップからなり、それぞれ第１及び第２の振動板２４１、２５１を備えている。第１の振動板２４１は第１のマイクロホン音孔２７を通じて上から、第２の振動板２５１は第１及び第２のマイクロホン音孔２７、２８を通じて上下両方から音波が到達するようになっている。第１及び第２のＭＥＭＳチップ２４、２５においては、音波の到来により第１及び第２の振動板２４１、２５１が振動すると、不図示の固定電極との間の静電容量が変化する。この結果、第１及び第２のＭＥＭＳチップ２４、２５に入射した音波（音信号）を電気信号として取り出せる。すなわち、第１及び第２のＭＥＭＳチップ２４、２５は、音信号を電気信号に変換する機能を有する。
【００２８】
差動マイクロホン２０の外部で音が生じると、第１のマイクロホン音孔２７から入力された音波が第１の音道３１によって第１の振動板２４１の上面に到達し、第１の振動板２４１が振動する。これにより、第１のＭＥＭＳチップ２４において静電容量の変化が生じる。第１のＭＥＭＳチップ２４の静電容量の変化に基づいて取り出された電気信号は、第１のＡＳＩＣ（図示されないが、第１のＭＥＭＳチップ２４に対して紙面奥側に存在する）のアンプ回路によって増幅処理されて出力される。
【００２９】
また、差動マイクロホン２０の外部で音が生じると、第１のマイクロホン音孔２７から入力された音波が第１の音道３１によって第２の振動板２５１の上面に到達すると共に、第２のマイクロホン音孔２８から入力された音波が第２の音道３２によって第２の振動板２５１の下面に到達する。このために、第２の振動板２５１は、その上面に加わる音圧と下面に加わる音圧との音圧差によって振動する。これにより、第２のＭＥＭＳチップ２５において静電容量の変化が生じる。第２のＭＥＭＳチップ２５の静電容量の変化に基づいて取り出された電気信号は、第２のＡＳＩＣ２６のアンプ回路によって増幅処理されて出力される。
【００３０】
音源から第１の振動板２４１までの距離が一定であれば、音源がどの方向にあっても第１の振動板２４１に加わる音圧は一定となる。すなわち、第１のＭＥＭＳチップ２４側を利用する場合、差動マイクロホン２０は、あらゆる方向から入射される音波を均等に受ける全指向特性を示す。
【００３１】
一方、第２のＭＥＭＳチップ２５側を利用する場合、差動マイクロホン２０は、全指向性特性を示さず、両指向特性を示す。音源から第２の振動板２５１までの距離が一定であれば、音源が０°又は１８０°の方向（第１及び第２のマイクロホン音孔２７、２８を結ぶ方向）にあるときに第２の振動板２５１に加わる音圧が最大となる。これは、音波が第２の音孔２８から第２の振動板２５１の下面に至る距離と、音波が第１の音孔２７から第２の振動板２５１の上面へと至る距離との差が最も大きくなるからである。
【００３２】
これに対し、音源が９０°又は２７０°の方向にあるときに第２の振動板２５１に加わる音圧が最小（０）になる。これは、音波が第２の音孔２８から第２の振動板２５１の下面に至る距離と、音波が第１の音孔２７から第２の振動板２５１の上面へと至る距離との差がほぼ０となるからである。すなわち、第２のＭＥＭＳチップ２５側を利用する場合、差動マイクロホン２０は、０°及び１８０°の方向から入射される音波に対して感度が高く、９０°及び２７０°の方向から入射される音波に対して感度が低い特性（両指向性）を示す。
【００３３】
このように、差動マイクロホン２０は遠方ノイズ抑圧性能に優れた両指向性マイクロホンとしての機能（第２のＭＥＭＳチップ２５から取り出される信号を使用することにより得られる）と、遠距離音を収音可能な全指向性マイクロホンとしての機能（第１のＭＥＭＳチップ２４から取り出される信号を使用することにより得られる）と、を兼ね備える構成となっている。
【００３４】
また、差動マイクロホンとしては上記の第１のＭＥＭＳチップ２４及び第１のＡＳＩＣを省いたような構成であってもよい。このような構成として、例えば、振動板の振動に基づいて音信号を電気信号に変換する振動部と、外部に面する第１及び第２音孔と、第１音孔から入力される音波を先程の振動板の一方の面に伝達する第１音道と、第２音孔から入力される音波を先程の振動板の他方の面に伝達する第２音道と、を備える差動マイクロホンが挙げられる。
【００３５】
次に、アームヘッド１１３に形成される第１及び第２音孔１１６、１１７の配置について詳しく説明する。まず、ブームアーム１１２の延出方向に対してアームヘッド１１３の延出方向（長手方向）がイヤホンスピーカーが突出する方向（装着時の話者の頬側）に曲がっている。そして、第１及び第２音孔１１６、１１７は略直方体のアームヘッド１１３の同一面（図１〜４では装着時の上側面）に、アームヘッド１１３の延出方向に沿って形成されている。第１及び第２音孔１１６、１１７をアームヘッド１１３の延出方向に沿って形成することで、第１及び第２音孔１１６、１１７がアームヘッド１１３に対して整然と配置されているイメージを与え、美観が向上する。
【００３６】
第１音孔１１６はアームヘッド１１３の先端付近に配設され、一方、第２音孔１１７はアームヘッド１１３のブームアーム１１２側の端部付近に配設される。つまり、第２音孔１１７は、イヤホンスピーカーとの距離が第１音孔１１６とイヤホンスピーカーとの距離より短い。なお、第１及び第２音孔１１６、１１７の形状には特に限定はなく、図１、４に示した円形をはじめ、楕円形や多角形でもよい。
【００３７】
上述したように、第１及び第２音孔１１６、１１７と近接音源（話者が発する音声）との角度よって、差動マイクロホンの感度が大きく変化する。具体的には、上述したように近接音源からの音波の到来方向に沿って第１及び第２音孔１１６、１１７を並べることで、差動マイクロホンの感度が向上する。
【００３８】
図６は、第１及び第２音孔１１６、１１７の最適な配置を説明する図である。人の頭部のモデルを用い、ヘッドセット１０の装着時に頬（輪郭）に沿って第１及び第２音孔１１６、１１７が配置されている３つの状態を示している。この３つの状態はブームアーム１１２の長さが異なる仕様によるものである。
【００３９】
話者から発せられた音声は、頬に沿って拡散すると考えることができるので、頬に沿って第１及び第２音孔１１６、１１７を配設することで、近接音源からの音波の到来方向に沿って第１及び第２音孔１１６、１１７が並ぶことになる。その結果、差動マイクロホンの感度が向上する。
【００４０】
そこで、頬に沿って第１及び第２音孔１１６、１１７が並ぶように設計することを考える。まず、図４に示すように、イヤホンスピーカーの中心と第１音孔１１６の中心との距離をＬ（ｍｍ）、第１音孔１１６の中心からイヤホンスピーカーの中心へ延びる直線と第１音孔１１６の中心から第２音孔１１７の中心へ延びる直線とのなす角をθ（°）とする。
【００４１】
そして、装着時に話者の頬に沿って第１及び第２音孔１１６、１１７が配置されるように、θを設計する。Ｌはイヤホンスピーカーや差動マイクロホンを収容する大きさを確保するため、少なくとも４０ｍｍ以上であることが望ましく、装着時にアームヘッド１１３が口元を通り過ぎない程度の長さとするのに１２０ｍｍ以下であることが望ましい。よって、ここでは４０≦Ｌ≦１２０とする。
【００４２】
また、差動マイクロホンの感度が向上する角度にはある程度の範囲があるので、第１及び第２音孔１１６、１１７は正確に話者の頬に沿っている必要はなく、したがって、θは一意に決める必要はなく、ある程度の幅をもたせることができる。また、人の輪郭も様々なモデルが考えられることを考慮してもθは一意に決める必要がない。
【００４３】
これらを考慮した結果、θは、図６のモデル頭部の頬に沿って第１及び第２音孔１１６、１１７を配置したときの実測値θ1（°）を中央値として±２０°の範囲であれば、差動マイクロホンの感度が向上することがわかった。よって、ここではθ1−２０≦θ≦θ1＋２０とする。
【００４４】
図７に、いくつかのＬに対してそれぞれθの実測値θ1を求めた結果を示す。このうち、４０≦Ｌ≦１２０の範囲内において近似式を算出した。図８にその近似式のグラフを、図９にグラフから読み取った値を示す。ここでは、第２音孔１１７が第１音孔１１６よりもイヤホンスピーカーの背面側（本体部１１１側）に配置される場合のθの値を＋、第２音孔１１７が第１音孔１１６よりもイヤホンスピーカーの前面側に配置される場合のθの値を−とする。
【００４５】
図８において、◆がθ1の近似式を示す曲線である。このときの近似式は以下のように算出された。
θ1＝０．００３５Ｌ2−０．１７８１Ｌ＋１５．２３９
【００４６】
図８において、▲の曲線はθ1＋２０の曲線であり、■の曲線はθ1−２０の曲線である。よって、４０≦Ｌ≦１２０において、θは▲の曲線と■の曲線との間の範囲がθ1−２０≦θ≦θ1＋２０を満たす範囲である。
【００４７】
まとめると、４０≦Ｌ≦１２０、θ1＝０．００３５Ｌ2−０．１７８１Ｌ＋１５．２３９、θ1−２０≦θ≦θ1＋２０の全て満たすようにヘッドセットを設計すれば、第１及び第２音孔１１６、１１７がほぼ頬に沿って並ぶことになる。すなわち、第１及び第２音孔１１６、１１７が近接音源からの音波の到来方向に沿って並ぶことになる。その結果、差動マイクロホンの感度が向上する。
【００４８】
次に、他の実施形態について説明する。図１０〜図１５は他の形態のアームヘッドの拡大図である。図１０では、第１及び第２音孔１１６、１１７はアームヘッド１１３の同一面（装着時の上側面）に形成され、第１及び第２音孔１１６、１１７が並ぶ方向はアームヘッド１１３の延出方向に交差している。このような形態によれば、ブームアーム１１２に対してアームヘッド１１３があまり曲がっていない仕様においても適切なθとなるように第１及び第２音孔１１６、１１７を配置することができる。
【００４９】
図１１では、第１及び第２音孔１１６、１１７はアームヘッド１１３の異なる面（装着時の上側面と下側面である対向面）にそれぞれ形成されている。また、図１２では、第１及び第２音孔１１６、１１７はアームヘッド１１３の異なる面（装着時の頬側面と外側面である対向面）にそれぞれ形成されている。このように、第１及び第２音孔１１６、１１７をアームヘッド１１３の異なる面に形成することができるので、様々な形状の差動マイクロホンを用いることができる。
【００５０】
図１３では、ブームアーム１１２の延出方向とアームヘッド１１３の延出方向（長手方向）とが同一方向である。また、第１及び第２音孔１１６、１１７はアームヘッド１１３の同一面（装着時の上側面）に形成され、第１及び第２音孔１１６、１１７が並ぶ方向はアームヘッド１１３の延出方向に交差している。このような形態によれば、ブームアーム１１２に対してアームヘッド１１３が曲がっていない仕様においても適切なθとなるように第１及び第２音孔１１６、１１７を配置することができる。
【００５１】
図１４、図１５では、ブームアーム１１２の延出方向とアームヘッド１１３の延出方向（長手方向）とが同一方向である。図１４では、第１及び第２音孔１１６、１１７はアームヘッド１１３の異なる面（装着時の上側面と下側面である対向面）にそれぞれ形成されている。また、図１５では、第１及び第２音孔１１６、１１７はアームヘッド１１３の異なる面（装着時の頬側面と外側面である対向面）にそれぞれ形成されている。このように、第１及び第２音孔１１６、１１７をアームヘッド１１３の異なる面に形成することとすれば、様々な形状のマイクロホンを用いることができる。
【００５２】
図１６及び図１７は伸縮可能なブームアームを有するヘッドセット４０の側面図である。図１６はブームアーム４１が延びた状態を、図１７はブームアーム４１が縮んだ状態を示している。ブームアーム４１以外の構成は上述した構成と同様であるので説明を省略する。
【００５３】
ブームアーム４１は頬側に湾曲しており、本体部４２との付け根で本体部４２に収容可能となっている。そして、ブームアーム４１を本体部４２に収容することで図１７の状態となる。本体部４２に設けられたブームアーム４１の収容部も、ブームアーム４１の湾曲にならって湾曲しており、収容部に対してブームアーム４１を移動させるとき、アームヘッド１１３は話者の頭部輪郭に沿う曲線軌跡上を移動する。
【００５４】
よって、ブームアーム４１を図１６と図１７の間のどのような状態にしても、湾曲しているブームアーム４１により、上述したθの範囲を満たす。したがって、第１及び第２音孔１１６、１１７がほぼ頬に沿って並び、その結果、差動マイクロホンの感度が向上する。さらに、この構成により、話者からの音声を明瞭に収音できる位置に差動マイクロホンの位置を調整することができる。
【００５５】
なお、ブームアームが伸縮するための機構には特に限定はなく、ブームアームが一定の軌道で伸縮する形態であればよい。
【符号の説明】
【００５６】
１０  ヘッドセット
１１  筐体
２０  差動マイクロホン
４１、１１２  ブームアーム
１１１  本体部
１１３  アームヘッド
１１６  第１音孔
１１７  第２音孔
【図１】
2014155143.tif 000003
【図２】
2014155143.tif 000004
【図３】
2014155143.tif 000005
【図４】
2014155143.tif 000006
【図５】
2014155143.tif 000007
【図６】
2014155143.tif 000008
【図７】
2014155143.tif 000009
【図８】
2014155143.tif 000010
【図９】
2014155143.tif 000011
【図１０】
2014155143.tif 000012
【図１１】
2014155143.tif 000013
【図１２】
2014155143.tif 000014
【図１３】
2014155143.tif 000015
【図１４】
2014155143.tif 000016
【図１５】
2014155143.tif 000017
【図１６】
2014155143.tif 000018
【図１７】
2014155143.tif 000019